(57)【特許請求の範囲】
【請求項１】
シンクの前方に配置されキャビネットの躯体の一部を構成する補助幕板と、
前記補助幕板の前面に配置された化粧幕板と、
前記化粧幕板に取り付けられる手すりとを備え、
前記化粧幕板にはボルト穴が設けられていて、
前記手すりは前記化粧幕板の前面から前記ボルト穴にボルト留めされていて、
前記補助幕板には、前記化粧幕板の後面に突出した前記ボルトの軸が挿通される貫通孔が設けられていることを特徴とするキッチンの幕板の結合構造。
【請求項２】
前記化粧幕板の前記ボルト穴の背面には、前記ボルトが締結される雌ネジが切られた板材である固定部材が取り付けられていることを特徴とする請求項１に記載のキッチンの幕板の結合構造。
【請求項３】
前記キッチンはコンロエリア、調理エリア、シンクエリアを有し、
前記手すりは、前記調理エリアとシンクエリアに亘って配置されていることを特徴とする請求項１または２に記載のキッチンの幕板の結合構造。
【発明の詳細な説明】
【技術分野】
【０００１】
本発明は、シンクの前面の幕板に手すりを備えたキッチンの幕板の結合構造に関する。
【背景技術】
【０００２】
近年、車椅子に乗った人が自立して生活できる環境が望まれている。住宅では段差をなくしたバリアフリーが提供され、世間にも広く認知されている。一方、従来の通常のキッチンは、車椅子に乗ったまま利用しようとした場合、使いやすいものではなかった。
【０００３】
キッチンを車椅子の人にとって使いやすくしようとした場合、キッチンの前面に手すりを設けることが考えられる。手すりを設ければ、車椅子を方向転換しようとするときや、車椅子から立ち上がろうとするときの補助となり、また立って作業する際にもたれかかっても服が濡れることを防ぐことができる。
【０００４】
従来から、キッチンの前面に手すりを設けた構造については様々な提案がされている。特許文献１では、手すりを支持する支持金具を、幕板の切欠または穴に取り付けてネジ止めする構造が開示されている。特許文献２には、手すり（身体支持具）に長い雄ネジを取り付け、流し台の天板の裏面に雌ネジの軸受を取り付けて、突出長さを調節可能にした手すりが提案されている。特許文献３には、手すりの支持アームを幕板の切欠に通して、支持アームの固定片（板）を幕板の裏側にネジ止めする構造が提案されている。
【先行技術文献】
【特許文献】
【０００５】
【特許文献１】実開平６−０８６５８５号公報
【特許文献２】特開平７−０２３８２５号公報
【特許文献３】特開平８−０００３７５号公報
【発明の概要】
【発明が解決しようとする課題】
【０００６】
しかしながら、車椅子の人用の手すりとして考えたとき、ほぼ全体重を支持しうる耐荷重が必要である。キッチンの幕板は多くの場合ＭＤＦ（medium density fiberboard：中密度繊維板）であるため、特許文献１−３のようにネジ止めしただけでは所望の耐荷重は得られない。高い耐荷重を得るためには、幕板を貫通させて所定の太さのボルトで留めることが考えられる。
【０００７】
さらにしかし、キッチンは複数の色からなるカラーバリエーションが準備される場合がある。そのためキッチンの前面は、キャビネットの躯体を構成する補助幕板と、カラーバリエーションごとに色づけされた化粧幕板を２枚重ねして構成される場合がある。このとき手すりは前面に配置された化粧幕板に取り付けられることになるが、ボルト留めすると、ボルトの軸またはナットが邪魔して化粧幕板と補助幕板とを近接させにくく、また幕板同士の連結作業が容易でないという問題がある。
【０００８】
そこで本発明は、手すりが取り付けられる化粧幕板と補助幕板との連結作業を容易にすることが可能なキッチンの幕板の結合構造を提供することを目的としている。
【課題を解決するための手段】
【０００９】
本発明にかかるキッチンの幕板の結合構造の代表的な構成は、シンクの前方に配置されキャビネットの躯体の一部を構成する補助幕板と、補助幕板の前面に配置された化粧幕板と、化粧幕板に取り付けられる手すりとを備え、化粧幕板にはボルト穴が設けられていて、手すりは化粧幕板の前面からボルト穴にボルト留めされていて、補助幕板には、化粧幕板の後面に突出したボルトの軸が挿通される貫通孔が設けられていることを特徴とする。
【００１０】
上記構成によれば、化粧幕板を補助幕板の前面に配置する際にボルトの軸が貫通孔に挿通されることから、ボルトの軸が位置合わせのガイドとなることから、幕板同士の連結作業が容易になる。またボルトの軸が邪魔になることがなく、化粧幕板と補助幕板を近接させることができるため、キッチンの小型化を図ることができる。また支障なくボルトを使用することができることから、十分な耐荷重をもって手すりを取り付けることができ、車椅子の使用者に対する安全性を向上させることができる。
【００１１】
化粧幕板のボルト穴の背面には、ボルトが締結される雌ネジが切られた板材である固定部材が取り付けられていることが好ましい。これにより、ナットを使用するよりも薄くすることができるため、化粧幕板と補助幕板の間の距離を近づけることができる。このためシンクからキッチンの前端までの距離を短くすることができ、キッチンのデザイン性を向上させることができる。
【００１２】
キッチンはコンロエリア、調理エリア、シンクエリアを有し、手すりは、調理エリアとシンクエリアに亘って配置されていることが好ましい。このように長い手すりとすることにより、車椅子に乗った状態で方向転換したり、車椅子から立ち上がって左右につかまり移動することが容易になる。これにより、車椅子の使用者の利便性を向上させることができる。
【発明の効果】
【００１３】
本発明によれば、手すりが取り付けられる化粧幕板と補助幕板との連結作業を容易にすることが可能なキッチンの幕板の結合構造を提供することができる。
【図面の簡単な説明】
【００１４】
【図１】本実施形態にかかるキッチンの全体斜視図である。
【図２】キッチンの幕板の結合構造を説明する図である。
【図３】手すりの支持部材近傍の断面図である。
【図４】キッチンを前方斜め上方から見た図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
図１は本実施形態にかかるキッチンの全体斜視図である。図１に示すように、本実施形態にかかるキッチン１００は、コンロ１０２が載置されるコンロキャビネット１１０、およびシンク１０４が設置されるシンクキャビネット１２０からなる２つのキャビネットを連結して構成される。キッチン１００は、車椅子Ｗに乗った使用者Ｐが使用しやすいようにワークトップ１２０ａの高さが低く設定されている。
【００１７】
コンロキャビネット１１０は、コンロ１０２が載置される天板１１６の下方に開き戸からなる収納部１１６を設けている。シンクキャビネット１２０は、調理スペースとなるワークトップ１２０ａと、シンク１０４を備えている。またシンクキャビネット１２０において、コンロキャビネット１１０の反対側の端に、引出１３２・開き戸１３４からなる収納部１３０を設けている。
【００１８】
コンロキャビネット１１０の収納部１１２、およびシンクキャビネット１２０の収納部１３０の下端は、車椅子ＷのステップＷ１より高い位置に配置している。収納部１１２、１３０の下側は、それぞれ壁面が奥側に後退した蹴込み１１４、１３６となっている。蹴込み１１４、１３６の前面は、収納部１１２、１３０の前面よりも大きく後退している。収納部１１２、１３０の下端の高さ（蹴込み１１４、１３６の高さ）を上記のように構成したことにより、車椅子ＷのステップＷ１上に置かれた使用者の足Ｐ１と収納部１１２、１３０との干渉が防がれるため、車椅子Ｗに乗ったままで使用者Ｐがキッチン１００に近づくことができる。また、ステップＷ１を収納部１１２、１３０の下方を通過させながら方向転換をすることが可能となる。これらのことから、車椅子Ｗの使用者Ｐがキッチンを快適に利用することが可能となる。
【００１９】
さらにキッチン１００は、シンクキャビネット１２０の前面の幕板に手すり２００が取り付けられている。
【００２０】
図２はキッチンの幕板の結合構造を説明する図である。キッチン１００は、シンク１０４の前方に補助幕板１２４と化粧幕板１２６が配置されている。補助幕板１２４は木工ダボ２１８およびコーナー部材２２０によってシンクキャビネット１２０の側板１２２に固定され、シンクキャビネット１２０の躯体の一部を構成する構造部材である。補助幕板１２４は、通常は外部から観察されない。
【００２１】
化粧幕板１２６は補助幕板１２４の前面に配置され、補助幕板１２４に固定される。補助幕板にはスペーサ２２２が前面側からネジ２２４によって取り付けられている。スペーサ２２２および補助幕板１２４には貫通したネジ穴２２２ａが設けられていて、背面側からネジ２２６によって化粧幕板１２６を締結固定する。
【００２２】
手すり２００は両端に支持部材２０２を備え、化粧幕板１２６に取り付けられる。支持部材２０２はほぼＬ字型の部材であり、一方の腕で手すり２００を支持し、他方の腕が化粧幕板１２６に締結される。支持部材２０２にはボルト穴２０２ａが設けられていて、化粧幕板１２６にもこれと対応する位置にボルト穴１２６ａが設けられている。そして支持部材２０２（すなわち手すり２００）は、化粧幕板１２６の前面からボルト穴２０２ａ、１２６ａを挿通したボルト２０４によってボルト留めされる。
【００２３】
化粧幕板１２６のボルト穴１２６ａの背面には、ボルト２０４が締結される雌ネジが切られた板材である固定部材２０６がネジ２０８によって取り付けられている。これにより、ナットを使用するよりも薄くすることができるため、化粧幕板１２６と補助幕板１２４の間の距離を近づけることができる。このためシンクからキッチンの前端までの距離を短くすることができ、キッチンのデザイン性を向上させることができる。
【００２４】
一方、補助幕板１２４には、化粧幕板１２６の後面に突出したボルト２０４の軸が挿通される貫通孔１２４ａが設けられている。したがって、化粧幕板１２６を補助幕板１２４の前面に配置する際に、ボルト２０４の軸が貫通孔１２４ａに挿通される。すると、ボルト２０４の軸が位置合わせのガイドとなることから、幕板同士の連結作業が容易になる。
【００２５】
図３は手すりの支持部材近傍の断面図である。図３に示すように、化粧幕板１２６を補助幕板１２４に取り付けた後にも、ボルト２０４の軸が邪魔になることがなく、化粧幕板と補助幕板を近接させることができる。このため、キッチン１００全体の小型化を図ることができる。また、このように支障なくボルト２０４を使用することができることから、ネジによって支持部材２０２を化粧幕板に締結する場合よりも十分な耐荷重をもって手すり２００を取り付けることができ、車椅子Ｗの使用者Ｐに対する安全性を向上させることができる。
【００２６】
図４はキッチンを前方斜め上方から見た図である。図４に示すように、キッチン１００はコンロエリアＡ１、調理エリアＡ２、シンクエリアＡ３、作業エリアＡ４に分けることができる。そして手すり２００は、調理エリアＡ２とシンクエリアＡ３に亘って配置されている。なお作業エリアＡ４の前面は引出１３２であるが、最上段の引出１３２の代わりに幕板を取り付けて、手すり２００を調理エリアＡ２から作業エリアＡ４まで、またはシンクエリアＡ３から作業エリアＡ４まで配置してもよい。このように長い手すり２００とすることにより、使用者Ｐが車椅子Ｗに乗った状態で方向転換したり、車椅子Ｗから立ち上がって左右につかまり移動することが容易になる。これにより、車椅子Ｗの使用者Ｐの利便性を向上させることができる。
【００２７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００２８】
本発明は、シンクの前面の幕板に手すりを備えたキッチンの幕板の結合構造として利用することができる。
【符号の説明】
【００２９】
Ａ１…コンロエリア、Ａ２…調理エリア、Ａ３…シンクエリア、Ａ４…作業エリア、１００…キッチン、１０２…コンロ、１０４…シンク、１１０…コンロキャビネット、１１２…収納部、１１４…蹴込み、１１６…天板、１２０…シンクキャビネット、１２０ａ…ワークトップ、１２２…側板、１２４…補助幕板、１２４ａ…貫通孔、１２６…化粧幕板、１２６ａ…ボルト穴、１３０…収納部、１３２…引出、１３４…開き戸、１３６…蹴込み、２００…手すり、２０２…支持部材、２０２ａ…ボルト穴、２０４…ボルト、２０６…固定部材、２０８…ネジ、２１８…木工ダボ、２２０…コーナー部材、２２２…スペーサ、２２２ａ…ネジ穴、２２４…ネジ、２２６…ネジ、Ｐ…使用者、Ｗ…車椅子
【図１】
0006052807.tif 000002
【図２】
0006052807.tif 000003
【図３】
0006052807.tif 000004
【図４】
0006052807.tif 000005